(57)【要約】      （修正有）【課題】アグリゲートされたキャリアを介してコンカレントにサービスを受信する通信システムを提供する。【解決手段】ＵＥによって実行される方法は、サービスと、サービスに関連付けられた構成情報とについて、複数のアグリゲートされたコンポーネントキャリアのうちの第１のコンポーネントキャリアと少なくとも１つの第２のコンポーネントキャリアとを監視する。ＵＥは、第１のコンポーネントキャリアと少なくとも１つの第２のコンポーネントキャリアとを介してコンカレントにサービスを受信する。第１のコンポーネントキャリアまたは少なくとも１つの第２のコンポーネントキャリアのうちの少なくとも１つが、ブロードキャストを介してサービスを搬送する。【選択図】図１３
2020036322.tif 000002
【特許請求の範囲】
【請求項１】
サービスと、前記サービスに関連付けられた構成情報とについて、複数のアグリゲートされたコンポーネントキャリアのうちの第１のコンポーネントキャリアと少なくとも１つの第２のコンポーネントキャリアとを監視することと、
前記第１のコンポーネントキャリアと前記少なくとも１つの第２のコンポーネントキャリアとを介してコンカレントに前記サービスを受信することと
を備え、
ここにおいて、前記第１のコンポーネントキャリアまたは前記少なくとも１つの第２のコンポーネントキャリアのうちの少なくとも１つが、ブロードキャストを介して前記サービスを搬送する、
ワイヤレス通信の方法。
【請求項２】
前記第１のコンポーネントキャリアと前記少なくとも１つの第２のコンポーネントキャリアの両方が、ブロードキャストを介して前記サービスを搬送する、請求項１に記載の方法。
【請求項３】
前記第１のコンポーネントキャリアまたは前記少なくとも１つの第２のコンポーネントキャリアのうちの１つが、ユニキャストを介して前記サービスをさらに搬送する、請求項１に記載の方法。
【請求項４】
前記第１のコンポーネントキャリアと前記少なくとも１つの第２のコンポーネントキャリアとを介してコンカレントに前記サービスを前記受信することが、ブロードキャストを介して１次コンテンツを受信することを備える、請求項３に記載の方法。
【請求項５】
前記第１のコンポーネントキャリアと前記少なくとも１つの第２のコンポーネントキャリアとを介してコンカレントに前記サービスを前記受信することが、ユニキャストを介して２次コンテンツを受信することをさらに備え、ここにおいて、前記１次コンテンツが、前記２次コンテンツを使用して拡張される、請求項４に記載の方法。
【請求項６】
前記１次コンテンツに関して誤りメトリックを計算することをさらに備える、請求項４に記載の方法。
【請求項７】
前記計算された誤りメトリックがしきい値以下であるとき、前記サービスがセッションの終了に達する前に前記サービスのユニキャスト配信への切替えを要求することをさらに備える、請求項６に記載の方法。
【請求項８】
前記計算された誤りメトリックがしきい値以下であるとき、前記サービスがセッションの終了に達する前に前記１次コンテンツの少なくとも一部分の再送信を要求することをさらに備える、請求項６に記載の方法。
【請求項９】
前記第１のコンポーネントキャリアまたは前記少なくとも１つの第２のコンポーネントキャリアのうちの少なくとも１つによって搬送されたマルチキャスト制御チャネル（ＭＣＣＨ）を介して第２の構成情報を受信することと、
前記ＭＣＣＨを介して受信された前記第２の構成情報に基づいて前記構成情報を更新することと
をさらに備える、請求項１に記載の方法。
【請求項１０】
前記第１のコンポーネントキャリアまたは前記少なくとも１つの第２のコンポーネントキャリアのうちの少なくとも１つによって搬送されたシステム情報ブロック（ＳＩＢ）を介して第２の構成情報を受信することと、
前記ＳＩＢを介して受信された前記第２の構成情報に基づいて前記構成情報を更新することと
をさらに備える、請求項１に記載の方法。
【請求項１１】
前記第１のコンポーネントキャリアまたは前記少なくとも１つの第２のコンポーネントキャリアのうちの少なくとも１つによって搬送されたマルチキャスト制御チャネル（ＭＣＣＨ）を介して第３の構成情報を受信することと、
前記ＭＣＣＨを介して受信された前記第３の構成情報に基づいて、前記ＳＩＢを介して受信された前記第２の構成情報を更新することと
をさらに備える、請求項１０に記載の方法。
【請求項１２】
前記サービスが、拡張マルチメディアブロードキャストマルチキャストサービス（ｅＭＢＭＳ）サービスを備える、請求項１に記載の方法。
【請求項１３】
メモリと、
前記メモリに結合された少なくとも１つのプロセッサと
を備え、前記少なくとも１つのプロセッサが、
サービスと、前記サービスに関連付けられた構成情報とについて、複数のアグリゲートされたコンポーネントキャリアのうちの第１のコンポーネントキャリアと少なくとも１つの第２のコンポーネントキャリアとを監視することと、
前記第１のコンポーネントキャリアと前記少なくとも１つの第２のコンポーネントキャリアとを介してコンカレントに前記サービスを受信することと
を行うように構成され、
ここにおいて、前記第１のコンポーネントキャリアまたは前記少なくとも１つの第２のコンポーネントキャリアのうちの少なくとも１つが、ブロードキャストを介して前記サービスを搬送する、
ワイヤレス通信のための装置。
【請求項１４】
前記第１のコンポーネントキャリアと前記少なくとも１つの第２のコンポーネントキャリアの両方が、ブロードキャストを介して前記サービスを搬送する、請求項１３に記載の装置。
【請求項１５】
前記第１のコンポーネントキャリアまたは前記少なくとも１つの第２のコンポーネントキャリアのうちの１つが、ユニキャストを介して前記サービスをさらに搬送する、請求項１３に記載の装置。
【請求項１６】
前記少なくとも１つのプロセッサが、ブロードキャストを介して１次コンテンツを受信することによって、前記第１のコンポーネントキャリアと前記少なくとも１つの第２のコンポーネントキャリアとを介してコンカレントに前記サービスを受信するように構成された、請求項１５に記載の装置。
【請求項１７】
前記少なくとも１つのプロセッサが、ユニキャストを介して２次コンテンツを受信することによって、前記第１のコンポーネントキャリアと前記少なくとも１つの第２のコンポーネントキャリアとを介してコンカレントに前記サービスを受信するように構成され、ここにおいて、前記１次コンテンツが、前記２次コンテンツを使用して拡張される、請求項１６に記載の装置。
【請求項１８】
前記少なくとも１つのプロセッサが、前記１次コンテンツに関して誤りメトリックを計算するようにさらに構成された、請求項１６に記載の装置。
【請求項１９】
前記少なくとも１つのプロセッサは、前記計算された誤りメトリックがしきい値以下であるとき、前記サービスがセッションの終了に達する前に前記サービスのユニキャスト配信への切替えを要求するようにさらに構成された、請求項１８に記載の装置。
【請求項２０】
前記少なくとも１つのプロセッサは、前記計算された誤りメトリックがしきい値以下であるとき、前記サービスがセッションの終了に達する前に前記１次コンテンツの少なくとも一部分の再送信を要求するようにさらに構成された、請求項１８に記載の装置。
【請求項２１】
前記少なくとも１つのプロセッサが、
前記第１のコンポーネントキャリアまたは前記少なくとも１つの第２のコンポーネントキャリアのうちの少なくとも１つによって搬送されたマルチキャスト制御チャネル（ＭＣＣＨ）を介して第２の構成情報を受信することと、
前記ＭＣＣＨを介して受信された前記第２の構成情報に基づいて前記構成情報を更新することと
を行うようにさらに構成された、請求項１３に記載の装置。
【請求項２２】
前記少なくとも１つのプロセッサが、
前記第１のコンポーネントキャリアまたは前記少なくとも１つの第２のコンポーネントキャリアのうちの少なくとも１つによって搬送されたシステム情報ブロック（ＳＩＢ）を介して第２の構成情報を受信することと、
前記ＳＩＢを介して受信された前記第２の構成情報に基づいて前記構成情報を更新することと
を行うようにさらに構成された、請求項１３に記載の装置。
【請求項２３】
前記少なくとも１つのプロセッサが、
前記第１のコンポーネントキャリアまたは前記少なくとも１つの第２のコンポーネントキャリアのうちの少なくとも１つによって搬送されたマルチキャスト制御チャネル（ＭＣＣＨ）を介して第３の構成情報を受信することと、
前記ＭＣＣＨを介して受信された前記第３の構成情報に基づいて、前記ＳＩＢを介して受信された前記第２の構成情報を更新することと
を行うようにさらに構成された、請求項２２に記載の装置。
【請求項２４】
前記サービスが、拡張マルチメディアブロードキャストマルチキャストサービス（ｅＭＢＭＳ）サービスを備える、請求項１３に記載の装置。
【請求項２５】
サービスと、前記サービスに関連付けられた構成情報とについて、複数のアグリゲートされたコンポーネントキャリアのうちの第１のコンポーネントキャリアと少なくとも１つの第２のコンポーネントキャリアとを監視するための手段と、
前記第１のコンポーネントキャリアと前記少なくとも１つの第２のコンポーネントキャリアとを介してコンカレントに前記サービスを受信するための手段と
を備え、
ここにおいて、前記第１のコンポーネントキャリアまたは前記少なくとも１つの第２のコンポーネントキャリアのうちの少なくとも１つが、ブロードキャストを介して前記サービスを搬送する、
ワイヤレス通信のための装置。
【請求項２６】
前記第１のコンポーネントキャリアと前記少なくとも１つの第２のコンポーネントキャリアの両方が、ブロードキャストを介して前記サービスを搬送する、請求項２５に記載の装置。
【請求項２７】
前記第１のコンポーネントキャリアまたは前記少なくとも１つの第２のコンポーネントキャリアのうちの１つが、ユニキャストを介して前記サービスをさらに搬送する、請求項２５に記載の装置。
【請求項２８】
前記第１のコンポーネントキャリアと前記少なくとも１つの第２のコンポーネントキャリアとを介してコンカレントに前記サービスを受信するための前記手段が、ブロードキャストを介して１次コンテンツを受信するように構成された、請求項２７に記載の装置。
【請求項２９】
前記第１のコンポーネントキャリアと前記少なくとも１つの第２のコンポーネントキャリアとを介してコンカレントに前記サービスを受信するための前記手段が、ユニキャストを介して２次コンテンツを受信するようにさらに構成され、ここにおいて、前記１次コンテンツが、前記２次コンテンツを使用して拡張される、請求項２８に記載の装置。
【請求項３０】
前記１次コンテンツに関して誤りメトリックを計算するための手段をさらに備える、請求項２８に記載の装置。
【請求項３１】
前記計算された誤りメトリックがしきい値以下であるとき、前記サービスがセッションの終了に達する前に前記サービスのユニキャスト配信への切替えを要求するための手段をさらに備える、請求項３０に記載の装置。
【請求項３２】
前記計算された誤りメトリックがしきい値以下であるとき、前記サービスがセッションの終了に達する前に前記１次コンテンツの少なくとも一部分の再送信を要求するための手段をさらに備える、請求項３０に記載の装置。
【請求項３３】
前記第１のコンポーネントキャリアまたは前記少なくとも１つの第２のコンポーネントキャリアのうちの少なくとも１つによって搬送されたマルチキャスト制御チャネル（ＭＣＣＨ）を介して第２の構成情報を受信するための手段と、
前記ＭＣＣＨを介して受信された前記第２の構成情報に基づいて前記構成情報を更新するための手段と
をさらに備える、請求項２５に記載の装置。
【請求項３４】
前記第１のコンポーネントキャリアまたは前記少なくとも１つの第２のコンポーネントキャリアのうちの少なくとも１つによって搬送されたシステム情報ブロック（ＳＩＢ）を介して第２の構成情報を受信するための手段と、
前記ＳＩＢを介して受信された前記第２の構成情報に基づいて前記構成情報を更新するための手段と
をさらに備える、請求項２５に記載の装置。
【請求項３５】
前記第１のコンポーネントキャリアまたは前記少なくとも１つの第２のコンポーネントキャリアのうちの少なくとも１つによって搬送されたマルチキャスト制御チャネル（ＭＣＣＨ）を介して第３の構成情報を受信するための手段と、
前記ＭＣＣＨを介して受信された前記第３の構成情報に基づいて、前記ＳＩＢを介して受信された前記第２の構成情報を更新するための手段と
をさらに備える、請求項３４に記載の装置。
【請求項３６】
前記サービスが、拡張マルチメディアブロードキャストマルチキャストサービス（ｅＭＢＭＳ）サービスを備える、請求項２５に記載の装置。
【請求項３７】
ワイヤレス通信のためのコンピュータ実行可能コードを記憶するコンピュータ可読媒体であって、
サービスと、前記サービスに関連付けられた構成情報とについて、複数のアグリゲートされたコンポーネントキャリアのうちの第１のコンポーネントキャリアと少なくとも１つの第２のコンポーネントキャリアとを監視することと、
前記第１のコンポーネントキャリアと前記少なくとも１つの第２のコンポーネントキャリアとを介してコンカレントに前記サービスを受信することと
を行うためのコードを備え、
ここにおいて、前記第１のコンポーネントキャリアまたは前記少なくとも１つの第２のコンポーネントキャリアのうちの少なくとも１つが、ブロードキャストを介して前記サービスを搬送する、
コンピュータ可読媒体。
【請求項３８】
前記第１のコンポーネントキャリアと前記少なくとも１つの第２のコンポーネントキャリアの両方が、ブロードキャストを介して前記サービスを搬送する、請求項３７に記載のコンピュータ可読媒体。
【請求項３９】
前記第１のコンポーネントキャリアまたは前記少なくとも１つの第２のコンポーネントキャリアのうちの１つが、ユニキャストを介して前記サービスをさらに搬送する、請求項３７に記載のコンピュータ可読媒体。
【発明の詳細な説明】
【技術分野】
【０００１】
関連出願の相互参照
[0001]本出願は、その全体が参照により本明細書に明確に組み込まれる、２０１４年１０月１４日に出願された「CARRIER AGGREGATION METHODS OF BROADCAST CHANNELS WITH BROADCAST CHANNELS OR BROADCAST CHANNELS WITH UNICAST CHANNELS」と題する米国出願第１４／５１４，２９３号の利益を主張する。
【０００２】
[0002]本開示は、一般に通信システムに関し、より詳細には、アグリゲートされたキャリアを介してコンカレントにサービスを受信することに関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示の一態様では、方法、コンピュータプログラム製品、および装置が提供される。
【０００６】
[0006]一態様によれば、ワイヤレス通信の方法は、サービスと、サービスに関連付けられた構成情報とについて、複数のアグリゲートされたコンポーネントキャリアのうちの第１のコンポーネントキャリアと少なくとも１つの第２のコンポーネントキャリアとを監視することを含む。本方法は、第１のコンポーネントキャリアと少なくとも１つの第２のコンポーネントキャリアとを介してコンカレントにサービスを受信することをさらに含む。第１のコンポーネントキャリアまたは少なくとも１つの第２のコンポーネントキャリアのうちの少なくとも１つが、ブロードキャストを介してサービスを搬送する。
【０００７】
[0007]一態様によれば、ワイヤレス通信のための装置はメモリを含む。本装置は、メモリに結合された少なくとも１つのプロセッサをさらに含む。少なくとも１つのプロセッサは、サービスと、サービスに関連付けられた構成情報とについて、複数のアグリゲートされたコンポーネントキャリアのうちの第１のコンポーネントキャリアと少なくとも１つの第２のコンポーネントキャリアとを監視するように構成される。少なくとも１つのプロセッサは、第１のコンポーネントキャリアと少なくとも１つの第２のコンポーネントキャリアとを介してコンカレントにサービスを受信するようにさらに構成される。第１のコンポーネントキャリアまたは少なくとも１つの第２のコンポーネントキャリアのうちの少なくとも１つが、ブロードキャストを介してサービスを搬送する。
【０００８】
[0008]一態様によれば、ワイヤレス通信のための装置は、サービスと、サービスに関連付けられた構成情報とについて、複数のアグリゲートされたコンポーネントキャリアのうちの第１のコンポーネントキャリアと少なくとも１つの第２のコンポーネントキャリアとを監視するための手段を含む。本装置は、第１のコンポーネントキャリアと少なくとも１つの第２のコンポーネントキャリアとを介してコンカレントにサービスを受信するための手段をさらに含む。第１のコンポーネントキャリアまたは少なくとも１つの第２のコンポーネントキャリアのうちの少なくとも１つが、ブロードキャストを介してサービスを搬送する。
【０００９】
[0009]一態様によれば、コンピュータ可読媒体に記憶されたコンピュータプログラム製品はコードを含む。少なくとも１つのプロセッサ上で実行されたとき、コードは、少なくとも１つのプロセッサに、サービスと、サービスに関連付けられた構成情報とについて、複数のアグリゲートされたコンポーネントキャリアのうちの第１のコンポーネントキャリアと少なくとも１つの第２のコンポーネントキャリアとを監視することを行わせる。コードは、少なくとも１つのプロセッサに、第１のコンポーネントキャリアと少なくとも１つの第２のコンポーネントキャリアとを介してコンカレントにサービスを受信することをさらに行わせる。第１のコンポーネントキャリアまたは少なくとも１つの第２のコンポーネントキャリアのうちの少なくとも１つが、ブロードキャストを介してサービスを搬送する。
【図面の簡単な説明】
【００１０】
【図１】[0010]ネットワークアーキテクチャの一例を示す図。
【図２】[0011]アクセスネットワークの一例を示す図。
【図３】[0012]ＬＴＥにおけるＤＬフレーム構造の一例を示す図。
【図４】[0013]ＬＴＥにおけるＵＬフレーム構造の一例を示す図。
【図５】[0014]ユーザプレーンおよび制御プレーンのための無線プロトコルアーキテクチャの一例を示す図。
【図６】[0015]アクセスネットワーク中の発展型ノードＢおよびユーザ機器の一例を示す図。
【図７Ａ】[0016]マルチキャストブロードキャスト単一周波数ネットワーク中の発展型マルチメディアブロードキャストマルチキャストサービスチャネル構成の一例を示す図。
【図７Ｂ】[0017]マルチキャストチャネルスケジューリング情報メディアアクセス制御制御要素のフォーマットを示す図。
【図８】[0018]ある動作周波数帯域に属するキャリアと、別の周波数帯域に属するキャリアとを示す図。
【図９】[0019]ユーザプレーンおよび制御プレーンのための無線プロトコルアーキテクチャの一例を示す図。
【図１０】[0020]ＵＳＤ中で搬送される構成情報を示す図。
【図１１】[0021]ＭＣＣＨ中で搬送される構成情報を示す図。
【図１２Ａ】[0022]ｅＮＢ（たとえば、ｅＮＢにおけるＵＣスケジューラ）からＵＥへの消失したＳＤＵの送信を示す図。
【図１２Ｂ】ｅＮＢ（たとえば、ｅＮＢにおけるＵＣスケジューラ）からＵＥへの消失したＳＤＵの送信を示す図。
【図１３】[0023]ワイヤレス通信の方法のフローチャート。
【図１４】[0024]例示的な装置中の異なるモジュール／手段／構成要素間のデータフローを示す概念データフロー図。
【図１５】[0025]処理システムを採用する装置のためのハードウェア実装形態の一例を示す図。
【発明を実施するための形態】
【００１１】
[0026]添付の図面に関して以下に記載する発明を実施するための形態は、様々な構成を説明するものであり、本明細書で説明する概念が実施され得る構成を表すものではない。発明を実施するための形態は、様々な概念の完全な理解を与えるための具体的な詳細を含む。しかしながら、これらの概念はこれらの具体的な詳細なしに実施され得ることが当業者には明らかであろう。いくつかの事例では、そのような概念を不明瞭にしないように、よく知られている構造および構成要素をブロック図の形式で示す。
【００１２】
[0027]次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【００１３】
[0028]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１４】
[0029]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく、例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。上記の組合せもコンピュータ可読媒体の範囲内に含まれるべきである。
【００１５】
[0030]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、事業者のインターネットプロトコル（ＩＰ）サービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１６】
[0031]Ｅ−ＵＴＲＡＮは、発展型ノードＢ（ｅＮＢ：evolved Node B）１０６と他のｅＮＢ１０８とを含み、マルチキャスト協調エンティティ（ＭＣＥ：Multicast Coordination Entity）１２８を含み得る。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は発展型マルチメディアブロードキャストマルチキャストサービス（ＭＢＭＳ）（ｅＭＢＭＳ）のために時間／周波数無線リソースを割り振り、ｅＭＢＭＳのために無線構成（たとえば、変調およびコーディング方式（ＭＣＳ：modulation and coding scheme））を決定する。ＭＣＥ１２８は別個のエンティティまたはｅＮＢ１０６の一部であり得る。ｅＮＢ１０６は、基地局、ノードＢ、アクセスポイント、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１７】
[0032]ｅＮＢ１０６はＥＰＣ１１０に接続される。ＥＰＣ１１０は、モビリティ管理エンティティ（ＭＭＥ：Mobility Management Entity）１１２と、ホーム加入者サーバ（ＨＳＳ）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンタ（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８は、ＵＥのＩＰアドレス割振りならびに他の機能を与える。ＰＤＮゲートウェイ１１８とＢＭ−ＳＣ１２６とはＩＰサービス１２２に接続される。ＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１８】
[0033]図２は、ＬＴＥネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例では集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは１つまたは複数の（たとえば、３つの）（セクタとも呼ばれる）セルをサポートし得る。「セル」という用語は、ｅＮＢの最小カバレージエリア、および／または特定のカバレージエリアをサービスするｅＮＢサブシステムを指すことがある。さらに、「ｅＮＢ」、「基地局」、および「セル」という用語は、本明細書では互換的に使用され得る。
【００１９】
[0034]アクセスネットワーク２００によって採用される変調および多元接続方式は、展開されている特定の電気通信規格に応じて異なり得る。ＬＴＥ適用例では、周波数分割複信（ＦＤＤ：frequency division duplex）と時分割複信（ＴＤＤ：time division duplex）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは３ＧＰＰ団体からの文書に記載されている。ＣＤＭＡ２０００およびＵＭＢは３ＧＰＰ２団体からの文書に記載されている。採用される実際のワイヤレス通信規格および多元接続技術は、特定の適用例およびシステムに課された全体的な設計制約に依存することになる。
【００２０】
[0035]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（たとえば、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００２１】
[0036]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを介した送信のためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２２】
[0037]以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２３】
[0038]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックスの場合、リソースブロックは、合計８４個のリソース要素について、周波数領域中に１２個の連続するサブキャリアを含んでおり、時間領域中に７つの連続するＯＦＤＭシンボルを含んでいる。拡張サイクリックプレフィックスの場合、リソースブロックは、合計７２個のリソース要素について、周波数領域中に１２個の連続するサブキャリアを含んでおり、時間領域中に６つの連続するＯＦＤＭシンボルを含んでいる。Ｒ３０２、３０４として示されるリソース要素のうちのいくつかは、ＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上で送信される。各リソース要素によって搬送されるビット数は変調方式に依存する。したがって、ＵＥが受信するリソースブロックが多いほど、また変調方式が高いほど、ＵＥのデータレートは高くなる。
【００２４】
[0039]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。
【００２５】
[0040]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータまたはデータと制御情報の両方を送信し得る。ＵＬ送信は、サブフレームの両方のスロットにわたり得、周波数上でホッピングし得る。
【００２６】
[0041]初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングをも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みを行うことができる。
【００２７】
[0042]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、３つのレイヤ、すなわち、レイヤ１、レイヤ２、およびレイヤ３とともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２８】
[0043]ユーザプレーンでは、Ｌ２レイヤ５０８は、ネットワーク側のｅＮＢにおいて終端される、メディアアクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００２９】
[0044]ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００３０】
[0045]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００３１】
[0046]図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいて、ヘッダ圧縮と、暗号化と、パケットのセグメンテーションおよび並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３２】
[0047]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。コーディングされ変調されたシンボルは、次いで並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームでＲＦキャリアを変調し得る。
【００３３】
[0048]ＵＥ６５０において、各受信機６５４ＲＸは、それのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６はＬ１レイヤの様々な信号処理機能を実装する。ＲＸプロセッサ６５６は、ＵＥ６５０に宛てられた任意の空間ストリームを復元するために、情報に対して空間処理を実行し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで、高速フーリエ変換（ＦＦＴ）を使用してＯＦＤＭシンボルストリームを時間領域から周波数領域に変換する。周波数領域信号は、ＯＦＤＭ信号のサブキャリアごとに別個のＯＦＤＭシンボルストリームを備える。各サブキャリア上のシンボルと、基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３４】
[0049]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３５】
[0050]ＵＬでは、データソース６６７が、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３６】
[0051]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３７】
[0052]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上に変調された情報を復元し、ＲＸプロセッサ６７０に情報を与える。ＲＸプロセッサ６７０はＬ１レイヤを実装し得る。
【００３８】
[0053]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、コントロール／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットは、コアネットワークに与えられ得る。コントローラ／プロセッサ６７５はまた、ＨＡＲＱ動作をサポートするためにＡＣＫおよび／またはＮＡＣＫプロトコルを使用する誤り検出を担当する。
【００３９】
[0054]図７Ａは、ＭＢＳＦＮにおける発展型ＭＢＭＳ（ｅＭＢＭＳ）チャネル構成の一例を示す図７５０である。セル７５２’中のｅＮＢ７５２は第１のＭＢＳＦＮエリアを形成し得、セル７５４’中のｅＮＢ７５４は第２のＭＢＳＦＮエリアを形成し得る。ｅＮＢ７５２、７５４はそれぞれ、他のＭＢＳＦＮエリア、たとえば、最高合計８つのＭＢＳＦＮエリアに関連付けられ得る。ＭＢＳＦＮエリア内のセルが予約済みセルとして指定され得る。予約済みセルは、マルチキャスト／ブロードキャストコンテンツを与えないが、セル７５２’、７５４’に時間同期させられ、ＭＢＳＦＮエリアへの干渉を制限するために、ＭＢＳＦＮリソース上で制限された電力を有し得る。ＭＢＳＦＮエリア中の各ｅＮＢは、同じｅＭＢＭＳ制御情報とデータとを同期的に送信する。各エリアは、ブロードキャストサービスと、マルチキャストサービスと、ユニキャストサービスとをサポートし得る。ユニキャストサービスは、特定のユーザを対象とするサービス、たとえば、ボイス呼である。マルチキャストサービスは、ユーザのグループによって受信され得るサービス、たとえば、サブスクリプションビデオサービスである。ブロードキャストサービスは、すべてのユーザによって受信され得るサービス、たとえば、ニュースブロードキャストである。図７Ａを参照すると、第１のＭＢＳＦＮエリアは、特定のニュースブロードキャストをＵＥ７７０に与えることなどによって、第１のｅＭＢＭＳブロードキャストサービスをサポートし得る。第２のＭＢＳＦＮエリアは、異なるニュースブロードキャストをＵＥ７６０に与えることなどによって、第２のｅＭＢＭＳブロードキャストサービスをサポートし得る。各ＭＢＳＦＮエリアは、１つまたは複数の物理マルチキャストチャネル（ＰＭＣＨ：physical multicast channel）（たとえば、１５個のＰＭＣＨ）をサポートする。各ＰＭＣＨはマルチキャストチャネル（ＭＣＨ：multicast channel）に対応する。各ＭＣＨは、複数（たとえば、２９個）のマルチキャスト論理チャネルを多重化することができる。各ＭＢＳＦＮエリアは、１つのマルチキャスト制御チャネル（ＭＣＣＨ：multicast control channel）を有し得る。したがって、１つのＭＣＨは、１つのＭＣＣＨと複数のマルチキャストトラフィックチャネル（ＭＴＣＨ：multicast traffic channel）とを多重化し得、残りのＭＣＨは複数のＭＴＣＨを多重化し得る。
【００４０】
[0055]ＵＥは、ｅＭＢＭＳサービスアクセスの利用可能性と、対応するアクセス層構成とを発見するためにＬＴＥセルにキャンプオンすることができる。最初に、ＵＥは、システム情報ブロック（ＳＩＢ）１３（ＳＩＢ１３）を獲得し得る。その後、ＳＩＢ１３に基づいて、ＵＥは、ＭＣＣＨ上でＭＢＳＦＮエリア構成メッセージを獲得し得る。その後、ＭＢＳＦＮエリア構成メッセージに基づいて、ＵＥは、ＭＣＨスケジューリング情報（ＭＳＩ）ＭＡＣ制御要素を獲得し得る。ＳＩＢ１３は、（１）セルによってサポートされる各ＭＢＳＦＮエリアのＭＢＳＦＮエリア識別子と、（２）ＭＣＣＨ繰り返し期間（たとえば、３２個、６４個、．．．、２５６個のフレーム）、ＭＣＣＨオフセット（たとえば、０個、１つ、．．．、１０個のフレーム）、ＭＣＣＨ修正期間（たとえば、５１２個、１０２４個のフレーム）、シグナリング変調およびコーディング方式（ＭＣＳ）、繰り返し期間とオフセットとによって示される無線フレームのどのサブフレームがＭＣＣＨを送信することができるかを示すサブフレーム割振り情報など、ＭＣＣＨを獲得するための情報と、（３）ＭＣＣＨ変更通知構成とを含み得る。各ＭＢＳＦＮエリアについて１つのＭＢＳＦＮエリア構成メッセージがある。ＭＢＳＦＮエリア構成メッセージは、（１）ＰＭＣＨ内の論理チャネル識別子によって識別される各ＭＴＣＨの一時的モバイルグループ識別情報（ＴＭＧＩ：temporary mobile group identity）および随意のセッション識別子と、（２）ＭＢＳＦＮエリアの各ＰＭＣＨを送信するための割り振られたリソース（すなわち、無線フレームおよびサブフレーム）およびそのエリア中のすべてのＰＭＣＨのための割り振られたリソースの割振り期間（たとえば、４つ、８つ、．．．、２５６個のフレーム）と、（３）ＭＳＩ  ＭＡＣ制御要素が送信されるＭＣＨスケジューリング期間（ＭＳＰ）（たとえば、８つ、１６個、３２個、．．．、または１０２４個の無線フレーム）とを示し得る。
【００４１】
[0056]図７Ｂは、ＭＳＩ  ＭＡＣ制御要素のフォーマットを示す図７９０である。ＭＳＩ  ＭＡＣ制御要素は、ＭＳＰごとに１回送られ得る。ＭＳＩ  ＭＡＣ制御要素は、ＰＭＣＨの各スケジューリング期間の第１のサブフレーム中で送られ得る。ＭＳＩ  ＭＡＣ制御要素は、ＰＭＣＨ内の各ＭＴＣＨの停止フレームおよびサブフレームを示すことができる。ＭＢＳＦＮエリアごとにＰＭＣＨ当たり１つのＭＳＩが存在し得る。
【００４２】
[0057]本開示の態様は、２つまたはそれ以上のアグリゲートされたキャリアを介してコンカレントに単一のサービス（たとえば、単一のｅＭＢＭＳサービス）を受信することを対象とする。アグリゲートされたキャリアのうちの少なくとも１つ上で、単一のサービスはブロードキャストを介して受信される。
【００４３】
[0058]アグリゲートされたキャリアの各々はコンポーネントキャリア（ＣＣ）と呼ばれることがあり、特定の事例では、最高５つのＣＣがアグリゲートされ得る。たとえば、各ＣＣの帯域幅は、１．４、３、５、１０、１５または２０ＭＨｚであり得る。
【００４４】
[0059]アグリゲートされたキャリアは、同じ動作周波数帯域（または動作スペクトル）に属するＣＣを含み得る。個々の周波数帯域の例としては、ＬＴＥ、ＬＴＥ無認可（ＬＴＥ−Ｕ：LTE-Unlicensed）などがある。ＬＴＥ周波数帯域は７００ＭＨｚまたは２ＧＨｚにあり得る。ＬＴＥ−Ｕ周波数帯域は２．４ＧＨｚまたは５ＧＨｚにあり得る。ＣＣはイントラバンドＣＣと呼ばれることがある。イントラバンドＣＣは周波数に関して連続または不連続であり得る。不連続ＣＣは周波数におけるギャップによって分離される。
【００４５】
[0060]アグリゲートされたキャリアは、異なる動作周波数帯域に属するＣＣをも含み得る。これらのＣＣはインターバンドＣＣと呼ばれることがある。
【００４６】
[0061]一態様によれば、アグリゲートされたキャリアのセットが、イントラバンドＣＣとインターバンドＣＣとの組合せを含み得る。たとえば、アグリゲートされたキャリアのセットは、第１の動作周波数帯域に属する１つまたは複数のＣＣと、第２の動作周波数帯域に属する１つまたは複数のＣＣとを含み得る。
【００４７】
[0062]サービスを提供するネットワークの観点から、ＣＣをアグリゲートすることは有効送信帯域幅を増加させる。したがって、対応するビットレートが同様に増加させられる。
【００４８】
[0063]増加させられた帯域幅およびビットレートは様々なコンテキストにおいて有用であり得る。たとえば、増加させられたビットレートは、４Ｋ解像度（４，０００ピクセル程度の水平解像度）を有するビデオの送信など、極めて高いデータレートを必要とするサービスを提供するときに有用であり得る。別の例として、増加させられた帯域幅は、特定の周波数帯域中で利用可能である帯域幅が制限され、したがって、特定のサービスをサポートするために十分でないことがあるときに有用であり得る。そのような状況では、ネットワークが、別の周波数帯域中で利用可能である帯域幅をも使用することによってサービス（たとえば、ｅＭＢＭＳサービス）を提供することを望み得る。たとえば、ネットワークは、２つまたはそれ以上の動作周波数帯域からのアグリゲートされたキャリアを使用し得る。
【００４９】
[0064]一態様によれば、ネットワークが、１次コンテンツを送信するために第１のＣＣを使用し、２次コンテンツを送るために第２のＣＣを使用する。１次コンテンツおよび２次コンテンツは単一のｅＭＢＭＳサービスに対応し得る。１次コンテンツはブロードキャストを介して第１のＣＣによって搬送され得る。２次コンテンツは、同じくブロードキャストを介して第２のＣＣによって搬送され得る。ブロードキャストされた２次コンテンツは、１次コンテンツの解像度を改善し得る。たとえば、２次コンテンツは、１次コンテンツと２次コンテンツとの組合せが高精細度（ＨＤ）ビデオを生成するように、ＨＤ解像度を与え得る。代替的に、または追加として、２次コンテンツは、ユニキャストを介して第２のＣＣによって搬送され得る。このようにして、２次コンテンツは、１つまたは複数の選択された受信側（たとえば、１つまたは複数の選択されたＵＥ）に与えられ得る。
【００５０】
[0065]別の態様によれば、事業者が、１次コンテンツを送るために第１のＣＣを使用し、２次コンテンツを送るために第２のＣＣを使用する。１次コンテンツおよび２次コンテンツは単一のｅＭＢＭＳサービスに対応し得る。１次コンテンツはブロードキャストを介して第１のＣＣによって搬送される。２次コンテンツはユニキャストを介して第２のＣＣによって搬送され得る。２次コンテンツは、１つまたは複数の選択された受信側（たとえば、１つまたは複数の選択されたＵＥ）のためのサービス信頼性を拡張するための、または１つまたは複数の選択された受信側に、消失したデータ（たとえば、未配信と報告されたデータ）の復元を与えるためのものであり得る。
【００５１】
[0066]これらおよび他の態様について以下でより詳細に説明する。
【００５２】
[0067]図８は、ある動作周波数帯域（「帯域１」）に属するキャリアと、別の周波数帯域（「帯域２」）に属するキャリアとを示す図８００である。キャリア８０２−１、８０２−２、８０２−３および８０２−４は帯域１に属し、キャリア８０４−１および８０４−２は帯域１に属する。
【００５３】
[0068]帯域１に関して、キャリア８０２−１、８０２−２、８０２−３および８０２−４は、隣接するキャリアが周波数におけるギャップによって分離されるという点で不連続である。しかしながら、帯域１中の任意の２つの隣接するキャリア（たとえば、８０２−１および８０２−２）は連続し得ることを理解されたい。
【００５４】
[0069]帯域２に関して、キャリア８０４−１および８０４−２は、これらのキャリアが周波数におけるギャップによって分離されるという点で不連続である。しかしながら、キャリア８０４−１および８０４−２は連続であり得ることを理解されたい。
【００５５】
[0070]帯域１および帯域２は異なる動作周波数スペクトルに対応し得る。たとえば、帯域１はＬＴＥスペクトルに対応し得る。さらなる例として、帯域２はＬＴＥ無認可（ＬＴＥ−Ｕ）スペクトルに対応し得る。
【００５６】
[0071]一態様によれば、単一のサービス（たとえば、単一のｅＭＢＭＳサービス）をコンカレントに提供するために、キャリア８０２−１、８０２−２、８０２−３、８０２、８０４−１、８０４−２のうちのいずれか２つまたはそれ以上がアグリゲートされる。
【００５７】
[0072]たとえば、キャリア８０２−１および８０２−２がアグリゲートされ得る。この例では、アグリゲートされたキャリアは、すべて、帯域１（たとえば、ＬＴＥスペクトル）に属する。
【００５８】
[0073]別の例として、キャリア８０２−２および８０４−１がアグリゲートされ得る。この例では、アグリゲートされたキャリアは、帯域１（たとえば、ＬＴＥスペクトル）に属するキャリア、または帯域２（たとえば、ＬＴＥ無認可スペクトル）に属するキャリアを含む。
【００５９】
[0074]また別の例として、キャリア８０４−１および８０４−２がアグリゲートされ得る。この例では、アグリゲートされたキャリアは、すべて、帯域２（たとえば、ＬＴＥ無認可スペクトル）に属する。
【００６０】
[0075]さらに、言及した態様によれば、単一のサービス（たとえば、単一のｅＭＢＭＳサービス）は、アグリゲートされた２つまたはそれ以上のキャリアを介してコンカレントに受信され得る。すなわち、サービスの受信側（たとえば、ＵＥ）は、アグリゲートされたキャリアのすべてに同調し、アグリゲートされたキャリア上で搬送されたデータを効果的に組み合わせることによってサービスを受信する。アグリゲートされたキャリアのうちの少なくとも１つ上で、単一のサービスはブロードキャストを介して受信される。
【００６１】
[0076]さらなる態様によれば、単一のサービスは、ブロードキャストを介して、アグリゲートされたキャリアの各々上で受信される。
【００６２】
[0077]たとえば、キャリア８０２−１および８０２−２がアグリゲートされる構成では、サービスは、ブロードキャストを介してキャリア８０２−１および８０２−２の各々上で受信される。別の例として、キャリア８０２−２および８０４−１がアグリゲートされる構成では、サービスは、ブロードキャストを介してキャリア８０２−２および８０４−１の各々上で受信される。また別の例として、キャリア８０４−１および８０４−２がアグリゲートされる構成では、サービスは、ブロードキャストを介してキャリア８０４−１および８０４−２の各々上で受信される。
【００６３】
[0078]別のさらなる態様によれば、単一のサービスは、ユニキャストを介して、アグリゲートされたキャリアのうちの少なくとも１つ上で受信される。
【００６４】
[0079]たとえば、キャリア８０２−１および８０２−２がアグリゲートされる構成では、サービスは、ブロードキャストを介してキャリア８０２−１上で、およびユニキャストを介してキャリア８０２−２上で受信される。さらに、サービスはまた、ユニキャストを介して（ブロードキャストを介してサービスを搬送する）キャリア８０２−１上で受信され得る。したがって、サービスの（１つまたは複数の）ブロードキャスト部分および（１つまたは複数の）ユニキャスト部分は、同じ周波数上で搬送され得るか、または異なる周波数上で搬送され得る。
【００６５】
[0080]別の例として、キャリア８０２−２および８０４−１がアグリゲートされる構成では、サービスは、ブロードキャストを介してキャリア８０２−２上で、およびユニキャストを介してキャリア８０４−１上で受信される。代替的に、サービスは、ブロードキャストを介してキャリア８０４−１上で、およびユニキャストを介してキャリア８０２−２上で受信される。
【００６６】
[0081]また別の例として、キャリア８０４−１および８０４−２がアグリゲートされる構成では、サービスは、ブロードキャストを介してキャリア８０４−１上で、およびユニキャストを介してキャリア８０４−２上で受信される。さらに、サービスはまた、ユニキャストを介して（ブロードキャストを介してサービスを搬送する）キャリア８０４−１上で受信され得る。したがって、サービスの（１つまたは複数の）ブロードキャスト部分および（１つまたは複数の）ユニキャスト部分は、同じ周波数上で搬送され得るか、または異なる周波数上で搬送され得る。
【００６７】
[0082]一態様によれば、キャリアのアグリゲーションおよびアグリゲートされたキャリア上での単一のサービスの送信は、ＭＡＣサブレイヤ（たとえば、図５、５１０参照）および物理レイヤ（たとえば、図５、５０６参照）において実行される。
【００６８】
[0083]図５と同様に、図９は、ユーザプレーンおよび制御プレーンのための無線プロトコルアーキテクチャの一例を示す図９００である。図９に関して、（図８に関して前に開示した）キャリアのアグリゲーションはＭＡＣレイヤ９１０において行われる。たとえば、キャリア９０２とキャリア９０４とが、ブロードキャストを介して単一のｅＭＢＭＳサービスを送信するためにアグリゲートされ得る。多重化モジュール９０８の出力は、キャリア９０２および９０４の間で効果的に分割される（たとえば、図９の９１２および９１４参照）。言い換えれば、多重化モジュール９０８は、多重化機能に加えて多重分離動作を実行する。このようにして、キャリア９０２および９０４は、ｅＭＢＭＳサービスの異なるブロードキャスト部分を搬送する。例として、キャリア９０２および９０４は、キャリア８０２−１および８０２−２、キャリア８０２−２および８０４−１、またはキャリア８０４−１および８０４−２（図８参照）に対応し得る。
【００６９】
[0084]図８に関して前に説明したように、単一のサービスはユニキャストを介して、アグリゲートされたキャリアのうちの少なくとも１つ上で受信され得る。ユニキャストコンテンツは、ＭＢＭＳスケジューリングモジュール９０６に与えられる（たとえば、図９の９１６参照）。ブロードキャストコンテンツに対するユニキャストコンテンツのスケジューリングは、ＭＢＭＳスケジューリングモジュール９０６において実行される。ブロードキャストされた各パケットについて、ＭＢＭＳスケジューリングモジュール９０６は、そのパケットが（ユニキャストアップリンクを介して）要求されたかどうかをスケジューラが決定するために、ユニキャストバッファに同じパケットのコピーをフォワーディングし得る。また、ブロードキャストされた各パケットについて、ＭＢＭＳスケジューリングモジュール９０６は、ブロードキャストバッファにおいてパケットを保存し得る。ユニキャストスケジューラは、そのパケットについての要求が（ユニキャストアップリンクを介して）受信されたとき、ブロードキャストスケジューラがユニキャストスケジューラにパケットをフォワーディングすることを要求し得る。ユニキャストスケジューラは、次いで、ユニキャストを通して消失したパケットを送る。
【００７０】
[0085]前に説明したように、少なくとも２つのキャリアが単一のサービスを搬送するためにアグリゲートされ得、ここで、少なくとも２つのキャリアの各々はブロードキャストを介してサービスを搬送する。キャリアがアグリゲートされた構成に関する構成情報が、受信側（たとえば、ＵＥ）に与えられる。次に、この構成情報についてより詳細に説明する。
【００７１】
[0086]一態様によれば、アグリゲートされたキャリアに関する構成情報は、ユーザサービス記述（ＵＳＤ：User Service Description）中に含まれ得る。別の態様によれば、アグリゲートされたキャリアに関する構成情報は、ＵＳＤおよびＭＣＣＨ中に含まれ得る。別の態様によれば、アグリゲートされたキャリアに関する構成情報は、ユーザサービス記述およびＳＩＢ中に含まれ得る。
【００７２】
[0087]ＵＳＤを通して受信側（たとえば、ＵＥ）に送られた構成情報は、アグリゲートされたキャリアを介してサービス（たとえば、ｅＭＢＭＳサービス）の適切な受信および復号を可能にする。ＵＥは、それがアグリゲートされたキャリアを介してｅＭＢＭＳサービスを受信する前に、ＵＳＤ中の構成情報を受信し得る。したがって、ＵＳＤがｅＭＢＭＳサービスを受信するとき、それは、サービスを受信および復号するのに必要な構成情報を所有している。
【００７３】
[0088]送信された各ｅＭＢＭＳサービスについて、ＵＳＤは、ｅＭＢＭＳサービスを搬送するアグリゲートされたキャリアに関する情報を含み得る。たとえば、ｅＭＢＭＳサービスに対応する各ＴＭＧＩについて、ＵＳＤはそのような情報を含み得る。情報は、ｅＭＢＭＳサービスに対応するキャリア周波数の識別情報を含み得る。
【００７４】
[0089]たとえば、各ＴＭＧＩについて、ＵＳＤは、アグリゲートされたキャリアの周波数と、サービスの送信に参加するセルのグループを定義する対応するＭＢＭＳサービスエリア識別子（ＳＡＩ）とを識別し得る。この識別は、リストの形態、たとえば、｛Ｆｒｅｑｕｅｎｃｙ＿１、．．．、Ｆｒｅｑｕｅｎｃｙ＿ｎ、ＭＢＭＳ  ＳＡＩ｝をとり得る。これは、異なる周波数が関与する場合、異なるＳＡＩが必要とされることを暗示する。たとえば、周波数とＳＡＩとの組合せは、ブロードキャストサービスがそれの現在ロケーションにおいておよびどの周波数において利用可能であることをＵＥに通知する。
【００７５】
[0090]異なる周波数の識別情報とともに、ＵＳＤ中の構成情報はまた、周波数の各々について、対応するセッション開始時間／セッション停止時間ペアリングを識別し得る。たとえば、構成情報は、単一のサービスが、特定の時間に開始し、特定の時間に停止するＦｒｅｑｕｅｎｃｙ＿１上で搬送されることを示し得る。別の例として、構成情報は、１次コンテンツが送られる時間とは異なる時間に２次コンテンツ（たとえば、１次コンテンツの解像度を改善するためのデータ）が送られることを示し得る。構成情報は、さらに、アグリゲートされたキャリアの特定のキャリアを、１次（またはベース）コンテンツを搬送する１次キャリアであるとして識別し得る。構成情報は、さらに、ファイル修復のために使用されるキャリアを識別し得る。この点について、ファイル修復のために使用されるキャリアは、ユニキャストコンテンツを搬送する。特定の態様によれば、ＬＴＥ−Ｕスペクトル中の周波数のみがファイル修復のために使用される。
【００７６】
[0091]ＵＥが、ＵＳＤに基づいて、特定のサービスのデータがコンカレントに（たとえば、同時に）複数の周波数によって搬送されることを知ったとき、ＵＥは、コンカレントに複数の周波数からｅＭＢＭＳサービスを受信することを試み得る。たとえば、ＵＥは、ｅＭＢＭＳサービスを受信するために、同時に複数の周波数に同調し得る。
【００７７】
[0092]図１０は、ＵＳＤ中で搬送される構成情報を示す図１０００である。図１０に関して、ＵＳＤ１０１０は、アグリゲートされたキャリア１００２−１および１００２−２に関する構成情報を含む。たとえば、ＵＳＤ１０１０は、特定の時間に開始し、特定の時間に停止するキャリア１００２−１（たとえば、キャリア１００２−１のＭＴＣＨ１０１２）上で、および特定の時間に開始し、特定の時間に停止するキャリア１００２−２（たとえば、キャリア１００２−２のＭＴＣＨ１０１４）上で単一のサービスが搬送されることを示し得る。別の例として、ＵＳＤ１０１０は、２次コンテンツが他のキャリア１００２−２によって搬送されるように、１次コンテンツを搬送するキャリアとしてキャリア１００２−１を示し得る。
【００７８】
[0093]アグリゲートされたキャリアの構成がサービスの過程中に変化する場合、ＵＥは、更新された構成情報がＵＳＤを介してＵＥに与えられた場合、サービスを適切に受信および復号し続け得る。
【００７９】
[0094]別の態様によれば、２つのアグリゲートされたキャリアに関する構成情報は、ＵＳＤおよびさらにＭＣＣＨ中に含まれ得る。含まれた構成情報は、図１０に関して前に説明したように、ＵＳＤを介して最初に与えられ得る。さらに、ＭＣＥ（たとえば、図１のＭＣＥ１２８参照）は、ＭＣＣＨを通して、たとえば、ＭＣＣＨのＭＢＳＦＮエリア構成メッセージを通して構成を更新し得る。図７Ａに関して前に説明したように、ＭＢＳＦＮエリア構成メッセージは、ＰＭＣＨ内の論理チャネル識別子によって識別される各ＭＴＣＨの随意のセッション識別子およびＴＭＧＩ、ならびにＭＢＳＦＮの各ＰＭＣＨを送信するための割り振られたリソース（たとえば、無線フレームおよびサブフレーム）を示し得る。
【００８０】
[0095]特定のキャリア上で、ＭＣＣＨは、（ＭＢＳＦＮエリアに割り振られたサブフレームを示す）ｃｏｍｍｏｎＳＦ−Ａｌｌｏｃパラメータを示し得るか、あるいは１つまたは複数の追加のキャリアのためのＭＣＣＨ情報を含み得る。これは、同時に複数の周波数を受信することができないことがあるＵＥに適応し得る。たとえば、特定のキャリア上のＭＣＣＨは、第１のキャリアのＭＢＳＦＮサブフレーム１、２および３がサービスのために割り振られたことと、第２のキャリアのＭＢＳＦＮサブフレーム６、７および８がサービスのために割り振られたこととを示し得る。
【００８１】
[0096]ＭＣＣＨは、以下のようにパラメータＭＢＭＳ−ＳｅｓｓｉｏｎＩｎｆｏ−ｒ９パラメータ中で構成情報を与え得る。
【００８２】
【数１】
2020036322.tif 000003
【００８３】
[0097]図１１は、ＭＣＣＨ中で搬送される構成情報を示す図１１００である。図１１に関して、ＭＣＣＨ１１１０は、アグリゲートされたキャリア１１０２−１および１１０２−２に関する構成を与える。図７Ａに関して前に開示したように、各ＭＢＳＦＮエリアは１つのＭＣＣＨを有し得る。したがって、１つのＭＣＨは、１つのＭＣＣＨと複数のＭＴＣＨとを多重化し得る。図１１に関して、キャリア１１０２−１のＭＣＣＨ１１１０は、単一のサービスが、キャリア１１０２−１のＭＴＣＨ１１１２−１、１１１２−２上で、およびキャリア１１０２−２のＭＴＣＨ１１１４−１、１１１４−２上で搬送されることを示し得る。
【００８４】
[0098]構成情報は、サービスを配信する各アグリゲートされたキャリアからＭＣＣＨを通してＵＥに送られ得る。一態様によれば、ＵＳＤ中に含まれる構成情報は、構成更新がＭＣＣＨを介して受信されたときに取り替えられる。すなわち、ＵＥは、ＵＥがＭＣＣＨから構成更新を受信したとき、ＵＳＤを介して受信されたＵＳＤ構成情報をオーバーライドし得る。
【００８５】
[0099]別の態様によれば、アグリゲートされたキャリアに関する構成情報は、ＵＳＤならびにさらにＳＩＢ（たとえば、ＳＩＢ１５）および／またはＭＣＣＨ中に含まれ得る。構成情報は、図１０に関して前に説明したように、ＵＳＤを介して最初に与えられ得る。さらに、ネットワークは、サービス継続性を改善するために、ＳＩＢ（たとえば、ＳＩＢ１５）を介して、更新された構成情報を与え得る。
【００８６】
[00100]図１０に関して前に説明したＵＳＤと同様に、ＳＩＢ１５は、各ＳＡＩに関連付けられたアグリゲートされたキャリアの周波数を識別し得る。さらに、図１１に関して前に説明したＭＣＣＨと同様に、ＳＩＢ１５は、ＴＤＭモードで使用される各アグリゲートされたキャリアのサブフレームを識別し得る。
【００８７】
[00101]一態様によれば、構成情報は、サービスを搬送するすべてのアグリゲートされたキャリアを介してＳＩＢ１５を通してＵＥに送られる。ＵＥは、サービスが、アグリゲートされたキャリアを介して搬送されることを示すＳＩＢ１５を受信する。ＵＥが複数の周波数を介してサービスを受信するための能力を有する場合、ＵＥは、ＭＣＣＨを復号し、したがって、サービスを受信することに進み得る。ＵＥがこのようにしてサービスを受信するための能力を有しない場合、ＵＥは、ＭＣＣＨを復号することに進む必要はない。
【００８８】
[00102]一態様によれば、ＵＳＤ中に含まれる構成情報は、構成更新がＳＩＢを介して受信されたときに取り替えられる。すなわち、ＵＥは、それがＳＩＢ中の構成情報を受信したとき、ＳＩＢを介して受信された構成情報をオーバーライドし得る。さらなる態様によれば、ＳＩＢ中に含まれる構成情報は、構成更新がＭＣＣＨを介して受信されたときに取り替えられる。たとえば、ＵＥは、それがＭＣＣＨと、ＭＣＣＨ中で与えられる構成情報とを復号したとき、ＳＩＢを介して受信された構成情報をオーバーライドし得る。
【００８９】
[00103]構成情報について様々な態様に関して説明してきた。次に、アグリゲートされたキャリアのスケジューリング情報について、より詳細に説明する。
【００９０】
[00104]一態様によれば、特定のキャリアのためのスケジューリング情報は、その特定のキャリアのＭＣＨのＭＳＩ中で与えられる。したがって、特定のキャリアのＭＳＩは、その特定のキャリアのみのためのスケジューリング情報を含む。したがって、各キャリアは別々に（または独立して）スケジュールされ得る。
【００９１】
[00105]ＭＳＩ  ＭＡＣ制御要素のフォーマットについて、図７Ｂに関して前に説明した。図７Ｂに関して開示されたように、ＭＳＩ  ＭＡＣ制御要素は、ＰＭＣＨの各スケジューリング期間の第１のサブフレーム中で送られ得る。ＭＳＩ  ＭＡＣ制御要素は、ＰＭＣＨ内の各ＭＴＣＨの停止フレームおよびサブフレームを示すことができる。
【００９２】
[00106]前に説明したように、サービスが複数のアグリゲートされたキャリアを介して搬送されるにもかかわらず、特定のキャリアのためのＭＳＩは、その特定のキャリアのみのためのスケジューリング情報を含んでいることがある。そのような構成では、ＵＥは、各キャリアについて独立してＭＳＩを監視すべきである。
【００９３】
[00107]前に説明した一態様によれば、ネットワークが、１次コンテンツを送るために第１のＣＣを使用し、２次コンテンツを送るために第２のＣＣを使用し得る。１次コンテンツおよび２次コンテンツは単一のｅＭＢＭＳサービスに対応し得る。１次コンテンツ（または基本データ）は、ブロードキャストを介して第１のＣＣ上で送られ得る。さらなる態様によれば、様々なタイプの２次コンテンツは、必要に応じて（第１のＣＣまたは第２のＣＣのいずれか上で）ユニキャストを介して送られ得る。たとえば、増補または補助データが、必要に応じてユニキャストを介して送られ得る。別の例によれば、消失したデータが、必要に応じてユニキャストを介してネットワークによって再送信され得る。
【００９４】
[00108]言及した態様についてより詳細に説明する前に、構成情報について最初に説明する。（２つまたはそれ以上のアグリゲートされたキャリアが単一のサービスを搬送する）構成に関して前に説明した構成情報と同様に、（１次コンテンツがブロードキャストを介して１つのキャリア上で送られ、２次コンテンツがユニキャストを介して送られる）別の構成に関する構成情報は、ＵＥにおけるサービスの適切な受信および復号を可能にするためのものである。たとえば、構成情報は、１次コンテンツおよび２次コンテンツがそれについて与えられる特定のサービスをＵＥに通知し得る。さらに、構成情報は、ブロードキャストコンテンツおよびユニキャストコンテンツがその上で与えられる１つまたは複数のキャリアを識別し得る。
【００９５】
[00109]図１０に関して前に説明したように、構成情報は、ＵＳＤを介して送られ得る。ＵＳＤ中の構成情報は、ブロードキャストコンテンツとユニキャストコンテンツの両方が特定のサービスのために与えられることを示し得る。さらに、構成情報は、ブロードキャストコンテンツとユニキャストコンテンツとを搬送する（１つまたは複数の）周波数を示し得る。前に説明したように、ブロードキャストコンテンツおよびユニキャストコンテンツは、同じ周波数上で搬送され得る。代替的に（または追加として）、ブロードキャストコンテンツおよびユニキャストコンテンツは、異なる周波数上で搬送され得る。ユニキャストコンテンツが増補または補助を含むとき、ＵＳＤは、ユニキャスト送信のためのサーバをも示し得る。
【００９６】
[00110]構成情報は、ＵＳＤ中にならびにさらにＳＩＢ（たとえば、ＳＩＢ１５）および／またはＭＣＣＨ中に含まれ得る。一態様によれば、ＵＳＤ中に含まれる構成情報は、構成更新がＳＩＢを介して受信されたときに取り替えられる。すなわち、ＵＥは、ＵＳＤがＳＩＢから構成情報を受信したとき、ＵＳＤを介して受信された構成情報をオーバーライドし得る。さらなる態様によれば、ＳＩＢを介して受信された構成情報は、構成情報がＭＣＣＨを介して受信されたときに取り替えられる。すなわち、ＵＥは、ＵＥがＭＣＣＨを介して構成情報を受信したとき、ＳＩＢを介して受信された構成情報をオーバーライドし得る。
【００９７】
[00111]構成情報がＳＩＢまたはＭＣＣＨ中に含まれるとき、構成情報は、ＴＤＭモードで使用される各アグリゲートされたキャリアのサブフレームを識別し得る。
【００９８】
[00112]必要に応じて送られるユニキャストコンテンツは、増補または補助データを含み得る。たとえば、ｅＭＢＭＳサービスを受信する特定のＵＥが、それが高い誤りメトリック（error metric）を経験していると決定したとき、ＵＥは、ＢＭ−ＳＣ（たとえば、図１のＢＭ−ＳＣ１２６参照）またはコンテンツプロバイダから増補データを受信するために、サービングゲートウェイ（Ｓ−ＧＷ）（たとえば、図１のサービングゲートウェイ１１６参照）またはＰＤＮゲートウェイ（Ｐ−ＧＷ）（たとえば、図１のＰＤＮゲートウェイ１１８参照）を通して（たとえば、ＲＲＣ接続モードで）ユニキャストリンクを確立し得る。誤りメトリックは、ブロック誤り率（ＢＬＥＲ：block error rate）、ビット誤り率（ＢＥＲ：bit error rate）または同様の誤りメトリックであり得る。
【００９９】
[00113]ＵＥは、誤りメトリック（たとえば、ＢＬＥＲ）を低減するために、ユニキャストを介して受信された増補または補助データを１次コンテンツと組み合わせる。たとえば、ある目標（たとえば、１％）へのまたはそれ以下への誤りメトリックの低減が望まれ得る。目標誤りメトリックがこのようにして達成され得ない場合、ＵＥは、サービスがユニキャストを介して単独で与えられることを要求し得る。すなわち、ＵＥは、サービスの配信がブロードキャスト配信からユニキャスト配信に切り替えられることを要求し得る。
【０１００】
[00114]上記で説明した態様は、ＵＥがファイル修復を要求する前にセッションの終了まで待つ他の状況とは異なり得ることに留意されたい。開示した態様によれば、ＵＥは、増補または補助データを要求する前にセッションの終了まで待つ必要がない。これは、リアルタイムストリーミングサービスを含むサービスの信頼性を改善するために有益であり得る。
【０１０１】
[00115]前述のように、消失したデータは、ユニキャストを介して必要に応じてネットワークによって再送信され得る。たとえば、ｅＭＢＭＳサービスを受信するＵＥが高い誤りメトリック（たとえば、ＢＬＥＲ）を経験するとき、ＵＥは、消失したＲＬＣ  ＳＤＵがＰ−ＧＷからではなくｅＮＢから与えられることを要求するために、（たとえば、ＲＲＣ接続モードで）ユニキャストリンクを確立し得る。したがって、ｅＮＢにおけるユニキャストスケジューラ（またはＵＣスケジューラ）は、要求されたＳＤＵをＵＥに送り得る。
【０１０２】
[00116]図１２Ａおよび図１２Ｂに、ｅＮＢ（たとえば、ｅＮＢにおけるＵＣスケジューラ）からＵＥへの消失したＳＤＵの送信を示す。
【０１０３】
[00117]図１２Ａに関して、１２０２において、ＵＥは、消失したＲＬＣ  ＳＤＵがユニキャストを介して与えられることを要求する。１２０４において、ｅＮＢにおけるＵＣスケジューラは、たとえば、ＭＣＥにおけるブロードキャストスケジューラ（ＢＣスケジューラ）に要求をフォワーディングする。１２０６において、要求されたＳＤＵは、ＢＣスケジューラにおけるバッファから取り出され得、次いでＢＣスケジューラによってＵＣスケジューラに送られる。１２０８において、ＵＣスケジューラは、要求されたＳＤＵをＵＥに送る。
【０１０４】
[00118]図１２Ｂに、別の態様による消失したＳＤＵの送信を示す。図１２Ｂに関して、１２１０において、ＢＣスケジューラは、ｅＭＢＭＳサービスのあらゆるＲＬＣ  ＳＤＵをＵＣスケジューラにフォワーディングする。フォワーディングされたＳＤＵは、ＵＣスケジューラにおいてローカルに記憶され得る。１２１２において、ＵＥは、消失したＲＬＣ  ＳＤＵがユニキャストを介して与えられることを要求する。１２１４において、ＵＣスケジューラは、要求されたＳＤＵをＵＥに送る。
【０１０５】
[00119]ＵＥは、１つまたは複数のＲＬＣ  ＳＤＵが消失したと決定したとき（たとえば、ＵＥが、それが１つまたは複数のＳＤＵを受信していない、あるいは１つまたは複数のＳＤＵが正常に受信されていないと決定したとき）、ＲＬＣ  ＳＤＵを要求し得る。要求メッセージ（たとえば、図１２Ａの１２０２において、または図１２Ｂの１２１２において送られた要求）は、対応するＲＬＣシーケンスＩＤ、ＳＡＩ、ＴＭＧＩ、ＳｅｓｓｉｏｎＩＤ、およびｌｏｇｉｃａｌＣｈａｎｎｅｌＩｄ（たとえば、ＭＴＣＨ  ＩＤ）などのパラメータを含み得る。
【０１０６】
[00120]図１３は、ワイヤレス通信の方法のフローチャート１３００である。本方法は、ＵＥ（たとえば、ＵＥ１０２、装置１４０２／１４０２’）によって実行され得る。１３０２において、ＵＥは、サービスと構成情報とについて、第１のコンポーネントキャリアと少なくとも１つの第２のコンポーネントキャリアとを監視する。たとえば、ＵＥは、ｅＭＢＭＳサービスと、対応する構成情報とについて、図８のキャリア８０２−１、８０２−２、８０２−３、８０２−４、８０４−１、８０４−２のうちのいずれか２つまたはそれ以上を監視する。１３０４において、ＵＥは、第１のコンポーネントキャリアと少なくとも１つの第２のコンポーネントキャリアとを介してコンカレントにサービスを受信する。たとえば、ｅＭＢＭＳサービスは、図８のキャリア８０２−１、８０２−２、８０２−３、８０２−４、８０４−１、８０４−２のうちの２つまたはそれ以上を介してコンカレントに受信される。１３０６において、ＵＥは、（ユニキャストを介して受信された）２次コンテンツを使用して（ブロードキャストを介して受信された）１次コンテンツを拡張する。２次コンテンツは、サービス信頼性を拡張するための、または消失したデータの復元を与えるためのものであり得る。１３０８において、ＵＥは、拡張１次コンテンツに関して誤りメトリック（たとえば、ＢＬＥＲ）を計算する。１３１０において、ＵＥは、計算された誤りメトリックがしきい値以下であるとき、サービス（たとえば、ｅＭＢＭＳサービス）のユニキャスト配信への切替えを要求する。１３１２において、ＵＥは、計算された誤りメトリックがしきい値以下であるとき、１次コンテンツの少なくとも一部分の再送信を要求する。たとえば、図１２Ａ、図１２Ｂに関して、ＵＥは、１２０２、１２１２において、消失したＲＬＣ  ＳＤＵを要求する。１３１４において、ＵＥはＳＩＢを介して構成情報を受信する。たとえば、ＵＥはＳＩＢ１５を介して構成情報を受信する。１３１６において、ＵＥは、ＳＩＢ（たとえば、ＳＩＢ１５）を介して受信された構成情報に基づいて構成情報を更新する。１３１８において、ＵＥはＭＣＣＨを介して構成情報を受信する。たとえば、ＵＥは図１１のＭＣＣＨ１１１０を介して構成情報を受信する。１３２０において、ＵＥは、ＭＣＣＨ（たとえば、図１１のＭＣＣＨ１１１０）を介して受信された構成情報に基づいて構成情報（またはＳＩＢを介して受信された構成情報）を更新する。
【０１０７】
[00121]図１４は、例示的な装置１４０２中の異なるモジュール／手段／構成要素間のデータフローを示す概念データフロー図１４００である。本装置はＵＥであり得る。本装置は、ｅＮＢ１４５０によって与えられたサービスおよび構成情報について、第１のコンポーネントキャリアと少なくとも１つの第２のコンポーネントキャリアとを監視する受信モジュール１４０４を含む。受信モジュール１４０４は、さらに、第１のコンポーネントキャリアと少なくとも１つの第２のコンポーネントキャリアとを介してコンカレントにサービスを受信する。受信モジュール１４０４は、（ユニキャストを介して受信された）２次コンテンツを使用して（ブロードキャストを介して受信された）１次コンテンツを拡張する計算モジュール１４０６に、１次コンテンツと２次コンテンツとを与える。計算モジュール１４０６は、拡張１次コンテンツに関して誤りメトリック（たとえば、ＢＬＥＲ）をも計算する。要求モジュール１４０８は、計算された誤りメトリックを受信し、計算された誤りメトリックがしきい値以下であるとき、サービス（たとえば、ｅＭＢＭＳサービス）のユニキャスト配信への切替えを要求する。要求モジュール１４０８は、計算された誤りメトリックがしきい値以下であるとき、１次コンテンツの少なくとも一部分の再送信を要求し得る。要求は、ｅＮＢ１４５０への送信のために送信モジュール１４１０に与えられる。
【０１０８】
[00122]受信モジュール１４０４に戻ると、受信モジュールはＳＩＢを介して構成情報を受信する。ＳＩＢを介して受信された構成情報は、更新モジュール１４１２に与えられる。更新モジュール１４１２は、ＳＩＢを介して受信された構成情報に基づいて構成情報を更新する。更新された構成情報は受信モジュール１４０４に与えられる。受信モジュール１４０４はＭＣＣＨを介して構成情報を受信する。ＭＣＣＨを介して受信された構成情報は、更新モジュール１４１２に与えられる。更新モジュール１４１２は、ＭＣＣＨを介して受信された構成情報に基づいて構成情報（またはＳＩＢを介して受信された構成情報）を更新する。更新された構成情報は受信モジュール１４０４に与えられる。
【０１０９】
[00123]本装置は、図１３の上述のフローチャート中のアルゴリズムのブロックの各々を実行する追加のモジュールを含み得る。したがって、図１３の上述のフローチャート中の各ブロックは１つのモジュールによって実行され得、本装置は、それらのモジュールのうちの１つまたは複数を含み得る。モジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１１０】
[00124]図１５は、処理システム１５１４を採用する装置１４０２’のためのハードウェア実装形態の一例を示す図１５００である。処理システム１５１４は、バス１５２４によって概略的に表されるバスアーキテクチャを用いて実装され得る。バス１５２４は、処理システム１５１４の特定の適用例および全体的な設計制約に応じて、任意の数の相互接続バスおよびブリッジを含み得る。バス１５２４は、プロセッサ１５０４、モジュール１４０４、１４０６、１４０８、１４１０、１４１２、およびコンピュータ可読媒体／メモリ１５０６によって表される１つまたは複数のプロセッサおよび／またはハードウェアモジュールを含む様々な回路を互いにリンクする。バス１５２４はまた、タイミングソース、周辺機器、電圧調整器、および電力管理回路など、様々な他の回路をリンクし得るが、これらの回路は当技術分野においてよく知られており、したがって、これ以上説明しない。
【０１１１】
[00125]処理システム１５１４はトランシーバ１５１０に結合され得る。トランシーバ１５１０は１つまたは複数のアンテナ１５２０に結合される。トランシーバ１５１０は、伝送媒体を介して様々な他の装置と通信するための手段を与える。トランシーバ１５１０は、１つまたは複数のアンテナ１５２０から信号を受信し、受信された信号から情報を抽出し、抽出された情報を処理システム１５１４、特に受信モジュール１４０４に与える。さらに、トランシーバ１５１０は、処理システム１５１４、特に送信モジュール１４１０から情報を受信し、受信された情報に基づいて、１つまたは複数のアンテナ１５２０に適用されるべき信号を生成する。処理システム１５１４は、コンピュータ可読媒体／メモリ１５０６に結合されたプロセッサ１５０４を含む。プロセッサ１５０４は、コンピュータ可読媒体／メモリ１５０６に記憶されたソフトウェアの実行を含む一般的な処理を担当する。ソフトウェアは、プロセッサ１５０４によって実行されたとき、処理システム１５１４に、特定の装置のための上記で説明した様々な機能を実行させる。コンピュータ可読媒体／メモリ１５０６はまた、ソフトウェアを実行するときにプロセッサ１５０４によって操作されるデータを記憶するために使用され得る。処理システムは、モジュール１４０４、１４０６、１４０８、１４１０、１４１２のうちの少なくとも１つをさらに含む。モジュールは、コンピュータ可読媒体／メモリ１５０６中に常駐する／記憶された、プロセッサ１５０４中で動作するソフトウェアモジュールであるか、プロセッサ１５０４に結合された１つまたは複数のハードウェアモジュールであるか、またはそれらの何らかの組合せであり得る。処理システム１５１４は、ＵＥ６５０の構成要素であり得、メモリ６６０および／またはＴＸプロセッサ６６８と、ＲＸプロセッサ６５６と、コントローラ／プロセッサ６５９とのうちの少なくとも１つを含み得る。
【０１１２】
[00126]一構成では、ワイヤレス通信のための装置１４０２／１４０２’は、サービスと、サービスに関連付けられた構成情報とについて、複数のアグリゲートされたキャリアのうちの第１のコンポーネントキャリアと少なくとも１つの第２のコンポーネントキャリアとを監視するための手段（たとえば、１４０４、６５６）を含む。本装置は、第１のコンポーネントキャリアと少なくとも１つの第２のコンポーネントキャリアとを介してコンカレントにサービスを受信するための手段（たとえば、１４０４、６５６）をさらに含む。第１のコンポーネントキャリアまたは少なくとも１つの第２のコンポーネントキャリアのうちの少なくとも１つが、ブロードキャストを介してサービスを搬送する。一構成では、監視するための手段（たとえば、１４０４、６５６）は、第１のコンポーネントキャリアと少なくとも１つの第２のコンポーネントキャリアとに同調する。一構成では、第１のコンポーネントキャリアと少なくとも１つの第２のコンポーネントキャリアの両方が、ブロードキャストを介してサービスを搬送する。一構成では、第１のコンポーネントキャリアまたは少なくとも１つの第２のコンポーネントキャリアのうちの一方が、さらにユニキャストを介してサービスを搬送するか、あるいは第１のコンポーネントキャリアまたは少なくとも１つの第２のコンポーネントキャリアのうちの他方がユニキャストを介してサービスを搬送する。一構成では、第１のコンポーネントキャリアと少なくとも１つの第２のコンポーネントキャリアとを介してコンカレントにサービスを受信するための手段（たとえば、１４０４、６５６）はブロードキャストを介して１次コンテンツを受信する。そのような構成では、第１のコンポーネントキャリアと少なくとも１つの第２のコンポーネントキャリアとを介してコンカレントにサービスを受信するための手段（たとえば、１４０４、６５６）はユニキャストを介して２次コンテンツを受信する。そのような構成では、本装置は、２次コンテンツを使用して１次コンテンツを拡張するための手段（たとえば、１４０６、６５９）をさらに含む。そのような構成では、本装置は、拡張１次コンテンツに関して誤りメトリックを計算するための手段（たとえば、１４０６、６５９）をさらに含む。そのような構成では、本装置は、計算された誤りメトリックがしきい値以下であるとき、サービスがセッションの終了に達する前にサービスのユニキャスト配信への切替えを要求するための手段（たとえば、１４０８、１４１０、６５９、６６８）をさらに含む。そのような構成では、本装置は、計算された誤りメトリックがしきい値以下であるとき、サービスがセッションの終了に達する前に１次コンテンツの少なくとも一部分の再送信を要求するための手段（たとえば、１４０８、１４１０、６５９、６６８）をさらに含む。一構成では、構成情報はＵＳＤを備える。そのような構成では、本装置は、第１のコンポーネントキャリアまたは少なくとも１つの第２のコンポーネントキャリアのうちの少なくとも１つによって搬送されたＭＣＣＨを介して第２の構成情報を受信するための手段（たとえば、１４０４、６５６）をさらに含む。そのような構成では、本装置は、ＭＣＣＨを介して受信さ��た第２の構成情報に基づいて、ＵＳＤを介して受信された構成情報を更新するための手段（たとえば、１４１２、６５９）をさらに含む。一構成では、本装置は、第１のコンポーネントキャリアまたは少なくとも１つの第２のコンポーネントキャリアのうちの少なくとも１つによって搬送されたＳＩＢを介して第２の構成情報を受信するための手段（たとえば、１４０４、６５６）をさらに含む。そのような構成では、本装置は、ＳＩＢを介して受信された第２の構成情報に基づいて、ＵＳＤを介して受信された構成情報を更新するための手段（たとえば、１４１２、６５９）をさらに含む。そのような構成では、本装置は、第１のコンポーネントキャリアまたは少なくとも１つの第２のコンポーネントキャリアのうちの少なくとも１つによって搬送されたＭＣＣＨを介して第３の構成情報を受信するための手段（たとえば、１４０４、６５６）をさらに含む。そのような構成では、本装置は、ＭＣＣＨを介して受信された第３の構成情報に基づいて、ＳＩＢを介して受信された第２の構成情報を更新するための手段（たとえば、１４１２、６５９）をさらに含む。一構成では、サービスはｅＭＢＭＳサービスを含む。
【０１１３】
[00127]上述の手段は、上述の手段によって具陳された機能を実行するように構成された、装置１４０２、および／または装置１４０２’の処理システム１５１４の上述のモジュールのうちの１つまたは複数であり得る。上記で説明したように、処理システム１５１４は、ＴＸプロセッサ６６８、ＲＸプロセッサ６５６、およびコントローラ／プロセッサ６５９を含み得る。したがって、一構成では、上述の手段は、上述の手段によって具陳された機能を実行するように構成された、ＴＸプロセッサ６６８、ＲＸプロセッサ６５６、およびコントローラ／プロセッサ６５９であり得る。
【０１１４】
[00128]開示したプロセス／フローチャートにおけるブロックの特定の順序または階層は、例示的な手法の一例であることを理解されたい。設計選好に基づいて、プロセス／フローチャートにおけるブロックの特定の順序または階層は再構成され得ることを理解されたい。さらに、いくつかのブロックは組み合わせられるかまたは省略され得る。添付の方法クレームは、様々なブロックの要素を例示的な順序で提示したものであり、提示された特定の順序または階層に限定されるものではない。
【０１１５】
[00129]以上の説明は、本明細書で説明された様々な態様を当業者が実施することを可能にするために与えられた。これらの態様に対する様々な変更は当業者には容易に明らかであり、本明細書で定義された一般原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では、「例、事例、または例示の働きをすること」を意味するために使用する。「例示的」として本明細書で説明するいかなる態様も、必ずしも他の態様よりも好適または有利であると解釈されるべきであるとは限らない。別段に明記されていない限り、「いくつかの」という語は「１つまたは複数の」を表す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明した様々な態様の要素のすべての構造的および機能的均等物は、参照により本明細書に明確に組み込まれ、特許請求の範囲に包含されるものである。その上、本明細書で開示したいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
【図１】
2020036322.tif 000004
【図２】
2020036322.tif 000005
【図３】
2020036322.tif 000006
【図４】
2020036322.tif 000007
【図５】
2020036322.tif 000008
【図６】
2020036322.tif 000009
【図７Ａ】
2020036322.tif 000010
【図７Ｂ】
2020036322.tif 000011
【図８】
2020036322.tif 000012
【図９】
2020036322.tif 000013
【図１０】
2020036322.tif 000014
【図１１】
2020036322.tif 000015
【図１２Ａ】
2020036322.tif 000016
【図１２Ｂ】
2020036322.tif 000017
【図１３】
2020036322.tif 000018
【図１４】
2020036322.tif 000019
【図１５】
2020036322.tif 000020
【手続補正書】
【提出日】令和1年11月1日(2019.11.1)
【手続補正１】
【補正対象書類名】特許請求の範囲
【補正対象項目名】全文
【補正方法】変更
【補正の内容】
【特許請求の範囲】
【請求項１】
サービスと、前記サービスに関連付けられた構成情報とについて、複数のアグリゲートされたコンポーネントキャリアのうちの第１のコンポーネントキャリアと少なくとも１つの第２のコンポーネントキャリアとを監視することと、
前記第１のコンポーネントキャリアと前記少なくとも１つの第２のコンポーネントキャリアとを介してコンカレントに前記サービスを受信することと
を備え、
ここにおいて、前記第１のコンポーネントキャリアまたは前記少なくとも１つの第２のコンポーネントキャリアのうちの少なくとも１つが、ブロードキャストを介して前記サービスを搬送する、
ワイヤレス通信の方法。
【手続補正２】
【補正対象書類名】明細書
【補正対象項目名】０１１５
【補正方法】変更
【補正の内容】
【０１１５】
[00129]以上の説明は、本明細書で説明された様々な態様を当業者が実施することを可能にするために与えられた。これらの態様に対する様々な変更は当業者には容易に明らかであり、本明細書で定義された一般原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では、「例、事例、または例示の働きをすること」を意味するために使用する。「例示的」として本明細書で説明するいかなる態様も、必ずしも他の態様よりも好適または有利であると解釈されるべきであるとは限らない。別段に明記されていない限り、「いくつかの」という語は「１つまたは複数の」を表す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明した様々な態様の要素のすべての構造的および機能的均等物は、参照により本明細書に明確に組み込まれ、特許請求の範囲に包含されるものである。その上、本明細書で開示したいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に、本願の出願当初の特許請求の範囲に記載された発明を付記する。
［Ｃ１］
サービスと、前記サービスに関連付けられた構成情報とについて、複数のアグリゲートされたコンポーネントキャリアのうちの第１のコンポーネントキャリアと少なくとも１つの第２のコンポーネントキャリアとを監視することと、
前記第１のコンポーネントキャリアと前記少なくとも１つの第２のコンポーネントキャリアとを介してコンカレントに前記サービスを受信することと
を備え、
ここにおいて、前記第１のコンポーネントキャリアまたは前記少なくとも１つの第２のコンポーネントキャリアのうちの少なくとも１つが、ブロードキャストを介して前記サービスを搬送する、
ワイヤレス通信の方法。
［Ｃ２］
前記第１のコンポーネントキャリアと前記少なくとも１つの第２のコンポーネントキャリアの両方が、ブロードキャストを介して前記サービスを搬送する、Ｃ１に記載の方法。
［Ｃ３］
前記第１のコンポーネントキャリアまたは前記少なくとも１つの第２のコンポーネントキャリアのうちの１つが、ユニキャストを介して前記サービスをさらに搬送する、Ｃ１に記載の方法。
［Ｃ４］
前記第１のコンポーネントキャリアと前記少なくとも１つの第２のコンポーネントキャリアとを介してコンカレントに前記サービスを前記受信することが、ブロードキャストを介して１次コンテンツを受信することを備える、Ｃ３に記載の方法。
［Ｃ５］
前記第１のコンポーネントキャリアと前記少なくとも１つの第２のコンポーネントキャリアとを介してコンカレントに前記サービスを前記受信することが、ユニキャストを介して２次コンテンツを受信することをさらに備え、ここにおいて、前記１次コンテンツが、前記２次コンテンツを使用して拡張される、Ｃ４に記載の方法。
［Ｃ６］
前記１次コンテンツに関して誤りメトリックを計算することをさらに備える、Ｃ４に記載の方法。
［Ｃ７］
前記計算された誤りメトリックがしきい値以下であるとき、前記サービスがセッションの終了に達する前に前記サービスのユニキャスト配信への切替えを要求することをさらに備える、Ｃ６に記載の方法。
［Ｃ８］
前記計算された誤りメトリックがしきい値以下であるとき、前記サービスがセッションの終了に達する前に前記１次コンテンツの少なくとも一部分の再送信を要求することをさらに備える、Ｃ６に記載の方法。
［Ｃ９］
前記第１のコンポーネントキャリアまたは前記少なくとも１つの第２のコンポーネントキャリアのうちの少なくとも１つによって搬送されたマルチキャスト制御チャネル（ＭＣＣＨ）を介して第２の構成情報を受信することと、
前記ＭＣＣＨを介して受信された前記第２の構成情報に基づいて前記構成情報を更新することと
をさらに備える、Ｃ１に記載の方法。
［Ｃ１０］
前記第１のコンポーネントキャリアまたは前記少なくとも１つの第２のコンポーネントキャリアのうちの少なくとも１つによって搬送されたシステム情報ブロック（ＳＩＢ）を介して第２の構成情報を受信することと、
前記ＳＩＢを介して受信された前記第２の構成情報に基づいて前記構成情報を更新することと
をさらに備える、Ｃ１に記載の方法。
［Ｃ１１］
前記第１のコンポーネントキャリアまたは前記少なくとも１つの第２のコンポーネントキャリアのうちの少なくとも１つによって搬送されたマルチキャスト制御チャネル（ＭＣＣＨ）を介して第３の構成情報を受信することと、
前記ＭＣＣＨを介して受信された前記第３の構成情報に基づいて、前記ＳＩＢを介して受信された前記第２の構成情報を更新することと
をさらに備える、Ｃ１０に記載の方法。
［Ｃ１２］
前記サービスが、拡張マルチメディアブロードキャストマルチキャストサービス（ｅＭＢＭＳ）サービスを備える、Ｃ１に記載の方法。
［Ｃ１３］
メモリと、
前記メモリに結合された少なくとも１つのプロセッサと
を備え、前記少なくとも１つのプロセッサが、
サービスと、前記サービスに関連付けられた構成情報とについて、複数のアグリゲートされたコンポーネントキャリアのうちの第１のコンポーネントキャリアと少なくとも１つの第２のコンポーネントキャリアとを監視することと、
前記第１のコンポーネントキャリアと前記少なくとも１つの第２のコンポーネントキャリアとを介してコンカレントに前記サービスを受信することと
を行うように構成され、
ここにおいて、前記第１のコンポーネントキャリアまたは前記少なくとも１つの第２のコンポーネントキャリアのうちの少なくとも１つが、ブロードキャストを介して前記サービスを搬送する、
ワイヤレス通信のための装置。
［Ｃ１４］
前記第１のコンポーネントキャリアと前記少なくとも１つの第２のコンポーネントキャリアの両方が、ブロードキャストを介して前記サービスを搬送する、Ｃ１３に記載の装置。
［Ｃ１５］
前記第１のコンポーネントキャリアまたは前記少なくとも１つの第２のコンポーネントキャリアのうちの１つが、ユニキャストを介して前記サービスをさらに搬送する、Ｃ１３に記載の装置。
［Ｃ１６］
前記少なくとも１つのプロセッサが、ブロードキャストを介して１次コンテンツを受信することによって、前記第１のコンポーネントキャリアと前記少なくとも１つの第２のコンポーネントキャリアとを介してコンカレントに前記サービスを受信するように構成された、Ｃ１５に記載の装置。
［Ｃ１７］
前記少なくとも１つのプロセッサが、ユニキャストを介して２次コンテンツを受信することによって、前記第１のコンポーネントキャリアと前記少なくとも１つの第２のコンポーネントキャリアとを介してコンカレントに前記サービスを受信するように構成され、ここにおいて、前記１次コンテンツが、前記２次コンテンツを使用して拡張される、Ｃ１６に記載の装置。
［Ｃ１８］
前記少なくとも１つのプロセッサが、前記１次コンテンツに関して誤りメトリックを計算するようにさらに構成された、Ｃ１６に記載の装置。
［Ｃ１９］
前記少なくとも１つのプロセッサは、前記計算された誤りメトリックがしきい値以下であるとき、前記サービスがセッションの終了に達する前に前記サービスのユニキャスト配信への切替えを要求するようにさらに構成された、Ｃ１８に記載の装置。
［Ｃ２０］
前記少なくとも１つのプロセッサは、前記計算された誤りメトリックがしきい値以下であるとき、前記サービスがセッションの終了に達する前に前記１次コンテンツの少なくとも一部分の再送信を要求するようにさらに構成された、Ｃ１８に記載の装置。
［Ｃ２１］
前記少なくとも１つのプロセッサが、
前記第１のコンポーネントキャリアまたは前記少なくとも１つの第２のコンポーネントキャリアのうちの少なくとも１つによって搬送されたマルチキャスト制御チャネル（ＭＣＣＨ）を介して第２の構成情報を受信することと、
前記ＭＣＣＨを介して受信された前記第２の構成情報に基づいて前記構成情報を更新することと
を行うようにさらに構成された、Ｃ１３に記載の装置。
［Ｃ２２］
前記少なくとも１つのプロセッサが、
前記第１のコンポーネントキャリアまたは前記少なくとも１つの第２のコンポーネントキャリアのうちの少なくとも１つによって搬送されたシステム情報ブロック（ＳＩＢ）を介して第２の構成情報を受信することと、
前記ＳＩＢを介して受信された前記第２の構成情報に基づいて前記構成情報を更新することと
を行うようにさらに構成された、Ｃ１３に記載の装置。
［Ｃ２３］
前記少なくとも１つのプロセッサが、
前記第１のコンポーネントキャリアまたは前記少なくとも１つの第２のコンポーネントキャリアのうちの少なくとも１つによって搬送されたマルチキャスト制御チャネル（ＭＣＣＨ）を介して第３の構成情報を受信することと、
前記ＭＣＣＨを介して受信された前記第３の構成情報に基づいて、前記ＳＩＢを介して受信された前記第２の構成情報を更新することと
を行うようにさらに構成された、Ｃ２２に記載の装置。
［Ｃ２４］
前記サービスが、拡張マルチメディアブロードキャストマルチキャストサービス（ｅＭＢＭＳ）サービスを備える、Ｃ１３に記載の装置。
［Ｃ２５］
サービスと、前記サービスに関連付けられた構成情報とについて、複数のアグリゲートされたコンポーネントキャリアのうちの第１のコンポーネントキャリアと少なくとも１つの第２のコンポーネントキャリアとを監視するための手段と、
前記第１のコンポーネントキャリアと前記少なくとも１つの第２のコンポーネントキャリアとを介してコンカレントに前記サービスを受信するための手段と
を備え、
ここにおいて、前記第１のコンポーネントキャリアまたは前記少なくとも１つの第２のコンポーネントキャリアのうちの少なくとも１つが、ブロードキャストを介して前記サービスを搬送する、
ワイヤレス通信のための装置。
［Ｃ２６］
前記第１のコンポーネントキャリアと前記少なくとも１つの第２のコンポーネントキャリアの両方が、ブロードキャストを介して前記サービスを搬送する、Ｃ２５に記載の装置。
［Ｃ２７］
前記第１のコンポーネントキャリアまたは前記少なくとも１つの第２のコンポーネントキャリアのうちの１つが、ユニキャストを介して前記サービスをさらに搬送する、Ｃ２５に記載の装置。
［Ｃ２８］
前記第１のコンポーネントキャリアと前記少なくとも１つの第２のコンポーネントキャリアとを介してコンカレントに前記サービスを受信するための前記手段が、ブロードキャストを介して１次コンテンツを受信するように構成された、Ｃ２７に記載の装置。
［Ｃ２９］
前記第１のコンポーネントキャリアと前記少なくとも１つの第２のコンポーネントキャリアとを介してコンカレントに前記サービスを受信するための前記手段が、ユニキャストを介して２次コンテンツを受信するようにさらに構成され、ここにおいて、前記１次コンテンツが、前記２次コンテンツを使用して拡張される、Ｃ２８に記載の装置。
［Ｃ３０］
前記１次コンテンツに関して誤りメトリックを計算するための手段をさらに備える、Ｃ２８に記載の装置。
［Ｃ３１］
前記計算された誤りメトリックがしきい値以下であるとき、前記サービスがセッションの終了に達する前に前記サービスのユニキャスト配信への切替えを要求するための手段をさらに備える、Ｃ３０に記載の装置。
［Ｃ３２］
前記計算された誤りメトリックがしきい値以下であるとき、前記サービスがセッションの終了に達する前に前記１次コンテンツの少なくとも一部分の再送信を要求するための手段をさらに備える、Ｃ３０に記載の装置。
［Ｃ３３］
前記第１のコンポーネントキャリアまたは前記少なくとも１つの第２のコンポーネントキャリアのうちの少なくとも１つによって搬送されたマルチキャスト制御チャネル（ＭＣＣＨ）を介して第２の構成情報を受信するための手段と、
前記ＭＣＣＨを介して受信された前記第２の構成情報に基づいて前記構成情報を更新するための手段と
をさらに備える、Ｃ２５に記載の装置。
［Ｃ３４］
前記第１のコンポーネントキャリアまたは前記少なくとも１つの第２のコンポーネントキャリアのうちの少なくとも１つによって搬送されたシステム情報ブロック（ＳＩＢ）を介して第２の構成情報を受信するための手段と、
前記ＳＩＢを介して受信された前記第２の構成情報に基づいて前記構成情報を更新するための手段と
をさらに備える、Ｃ２５に記載の装置。
［Ｃ３５］
前記第１のコンポーネントキャリアまたは前記少なくとも１つの第２のコンポーネントキャリアのうちの少なくとも１つによって搬送されたマルチキャスト制御チャネル（ＭＣＣＨ）を介して第３の構成情報を受信するための手段と、
前記ＭＣＣＨを介して受信された前記第３の構成情報に基づいて、前記ＳＩＢを介して受信された前記第２の構成情報を更新するための手段と
をさらに備える、Ｃ３４に記載の装置。
［Ｃ３６］
前記サービスが、拡張マルチメディアブロードキャストマルチキャストサービス（ｅＭＢＭＳ）サービスを備える、Ｃ２５に記載の装置。
［Ｃ３７］
ワイヤレス通信のためのコンピュータ実行可能コードを記憶するコンピュータ可読媒体であって、
サービスと、前記サービスに関連付けられた構成情報とについて、複数のアグリゲートされたコンポーネントキャリアのうちの第１のコンポーネントキャリアと少なくとも１つの第２のコンポーネントキャリアとを監視することと、
前記第１のコンポーネントキャリアと前記少なくとも１つの第２のコンポーネントキャリアとを介してコンカレントに前記サービスを受信することと
を行うためのコードを備え、
ここにおいて、前記第１のコンポーネントキャリアまたは前記少なくとも１つの第２のコンポーネントキャリアのうちの少なくとも１つが、ブロードキャストを介して前記サービスを搬送する、
コンピュータ可読媒体。
［Ｃ３８］
前記第１のコンポーネントキャリアと前記少なくとも１つの第２のコンポーネントキャリアの両方が、ブロードキャストを介して前記サービスを搬送する、Ｃ３７に記載のコンピュータ可読媒体。
［Ｃ３９］
前記第１のコンポーネントキャリアまたは前記少なくとも１つの第２のコンポーネントキャリアのうちの１つが、ユニキャストを介して前記サービスをさらに搬送する、Ｃ３７に記載のコンピュータ可読媒体。
【外国語明細書】
2020036322000001.pdf